(57)【要約】【課題】コスト削減を図るようにした通信システム、通信装置、及び通信システムにおける通信方法を提供すること。【解決手段】第１及び第２の通信装置を介して、第１及び第２の端末装置の間で通信を行う通信システムにおいて、前記第２の通信装置は、前記第１の端末装置の発信呼が映像及び音声データの発信を示すＡＶ呼であって、前記第１及び前記第２の端末装置が内線により通信を行うとき、折り返し要求信号を前記第１の通信装置に送信する監視制御部を備え、前記第１の通信装置は、前記折り返し要求信号を受信したとき、前記第１又は前記第２の端末装置から送信された前記映像及び音声データを折り返して夫々前記第２又は前記第１の端末装置に送信する折り返し制御部を備える。【選択図】図２
2011061420.tif 000002
【特許請求の範囲】
【請求項１】
第１及び第２の通信装置を介して、第１及び第２の端末装置の間で通信を行う通信システムにおいて、
前記第２の通信装置は、前記第１の端末装置の発信呼が映像及び音声データの発信を示すＡＶ呼であって、前記第１及び前記第２の端末装置が内線により通信を行うとき、折り返し要求信号を前記第１の通信装置に送信する監視制御部を備え、
前記第１の通信装置は、前記折り返し要求信号を受信したとき、前記第１又は前記第２の端末装置から送信された前記映像及び音声データを折り返して夫々前記第２又は前記第１の端末装置に送信する折り返し制御部を備えることを特徴とする通信システム。
【請求項２】
前記第１又は第２の通信装置は、前記第１の端末装置から送信された前記ＡＶ呼を音声呼に変換する変換部を備えることを特徴とする請求項１記載の通信システム。
【請求項３】
前記監視制御部は、前記第１の端末装置から送信された制御信号に基づいて前記ＡＶ呼か否かを判別し、前記第１及び前記第２の端末装置が内線による通信を行うことを示す情報を保持し、当該情報に基づいて前記第１及び前記第２の端末装置が内線により通信を行うか否かを判別することを特徴とする請求項１記載の通信システム。
【請求項４】
他の通信装置を介して第１及び第２の端末装置の間で通信を行う通信装置において、
前記第１の端末装置の発信呼が映像及び音声データの発信を示すＡＶ呼であって、前記第１及び前記第２の端末装置が内線により通信を行うとき、折り返し要求信号を生成する監視制御部と、
前記折り返し要求信号を前記他の通信装置に送信する送信部とを備え、
前記他の通信装置は、前記折り返し要求信号を受信したとき、前記第１又は前記第２の端末装置から送信された前記映像及び音声データを折り返して夫々前記第２又は前記第１の端末装置に送信することを特徴とする通信装置。
【請求項５】
第１及び第２の通信装置を介して、第１及び第２の端末装置の間で通信を行う通信システムにおける通信方法であって、
前記第２の通信装置は、前記第１の端末装置の発信呼が映像及び音声データの発信を示すＡＶ呼であって、前記第１及び前記第２の端末装置が内線により通信を行うとき、折り返し要求信号を前記第１の通信装置に送信し、
前記第１の通信装置は、前記折り返し要求信号を受信したとき、前記第１又は前記第２の端末装置から送信された前記映像及び音声データを折り返して夫々前記第２又は前記第１の端末装置に送信する
ことを特徴とする通信方法。
【発明の詳細な説明】
【技術分野】
【０００１】
本発明は、通信システム、通信装置、及び通信システムに関する通信方法に関する。
【背景技術】
【０００２】
通信システムに関する従来技術として以下のようなものが開示される。例えば、遠隔地の宛先へデータ・ファイルを送信するために使用する無線通信経路の選択を決定する際に、一組のユーザの優先順位に従って、予め定めたパラメータと測定したパラメータを利用する多重プロトコル経路選択最適化を使用する無線通信交換システムが開示される（例えば、以下の特許文献１）。
【０００３】
また、拠点Ａと拠点Ｂとの間に設けられる複数本の通信路をそれぞれ評価する境界用通信装置１０Ａ，１０Ｂ，１０Ｃであって、各境界用通信装置１０Ａ，１０Ｂ，１０Ｃが通信路の通信状況を計測する計測部３２と、計測部３２の計測結果に基づいて、通信路の通信品質を評価する評価部３３と、評価部３３の評価結果に基づいて通信すべき情報の１以上の通信路を決定するデータ振り分け部３８とを具備するものも開示される（例えば、以下の特許文献２）。
【先行技術文献】
【特許文献】
【０００４】
【特許文献１】特表２００１‐５０３５７８号公報
【特許文献２】特開２００８‐６１０４７号公報
【発明の概要】
【発明が解決しようとする課題】
【０００５】
しかし、２つの特許文献に記載された内容は、種々のパラメータに基づいて通信経路を選択等するものである。そのため、種々のパラメータに対する処理の分だけ時間がかかり、コストも増加する。
【０００６】
そこで、本発明の一目的は、コスト削減を図るようにした通信システム、通信装置、及び通信システムにおける通信方法を提供することにある。
【課題を解決するための手段】
【０００７】
一態様によれば、第１及び第２の通信装置を介して、第１及び第２の端末装置の間で通信を行う通信システムにおいて、前記第２の通信装置は、前記第１の端末装置の発信呼が映像及び音声データの発信を示すＡＶ呼であって、前記第１及び前記第２の端末装置が内線により通信を行うとき、折り返し要求信号を前記第１の通信装置に送信する監視制御部を備え、前記第１の通信装置は、前記折り返し要求信号を受信したとき、前記第１又は前記第２の端末装置から送信された前記映像及び音声データを折り返して夫々前記第２又は前記第１の端末装置に送信する折り返し制御部を備える。
【発明の効果】
【０００８】
コスト削減を図るようにした通信システム、通信装置、及び通信システムにおける通信方法を提供できる。
【図面の簡単な説明】
【０００９】
【図１】図１は通信システムの構成例を示す図である。
【図２】図２は通信システムの構成例を示す図である。
【図３】図３（Ａ）は内線網中継サーバ、図３（Ｂ）はＧＷの各構成例を示す図である。
【図４】図４はＳＩＰサーバの構成例を示す図である。
【図５】図５は動作例を示すシーケンス図である。
【図６】図６（Ａ）はＡＶ呼発信者情報ＤＢ、図６（Ｂ）は携帯電話内線呼発信者情報ＤＢの各例を示す図である。
【図７】図７は動作例を示すシーケンス図である。
【図８】図８は動作例を示すシーケンス図である。
【図９】図９は動作例を示すシーケンス図である。
【発明を実施するための形態】
【００１０】
本発明を実施するための形態について以下説明する。
【００１１】
＜第１の実施例＞
第１の実施例について説明する。図１は通信システム１００の構成例を示す図である。通信システム１００は、交換機（ＭＭＳ：Mobile Multimedia Switching System、以下「ＭＭＳ」）１０と、内線網中継サーバ２０と、ＧＷ（Gateway）３０と、ＳＩＰ（Session Initiation Protocol）サーバ４０と、端末（ＵＥ：User Equipment）５０‐１，５０‐２とを備える。
【００１２】
ＭＭＳ１０は、例えば、移動通信マルチメディア交換機であり、端末５０‐１，５０‐２から送信された制御信号（Ｃ‐Ｐｌａｎｅ）及びユーザデータ（Ｕ‐Ｐｌａｎｅ）等を携帯電話網で利用可能な制御信号及びユーザデータ等に変換して、内線網中継サーバ２０に出力する。また、ＭＭＳ１０は、内線網中継サーバ２０から出力された制御信号及びユーザデータ等を、端末５０‐１，５０‐２に送信可能な制御信号等に変換して、端末５０‐１，５０‐２に送信する。
【００１３】
内線網中継サーバ２０は、ＭＭＳ１０とＧＷ３０に接続され、例えば、制御信号に含まれる内線番号のドメインへの変更等をＧＷ３０に指示する。また、内線網中継サーバ２０は、ＧＷ３０から送信された制御信号に含まれるドメインの内線番号への変更等を行い、ＭＭＳ１０に出力する。
【００１４】
ＧＷ３０は、ＩＰ網と携帯電話網の各ネットワークを接続するためのゲートウェイである。ＧＷ３０は、例えば、内線網中継サーバ２０からの指示に基づいて、制御信号に含まれる内線番号のドメインへの変更等を行う。また、ＧＷ３０は、内線網中継サーバ２０から出力された制御信号に含まれる呼の種別が「ＡＶ呼」のとき、当該種別を「音声呼」に変換して、ＳＩＰサーバ４０に出力する。更に、ＧＷ３０は、ＳＩＰサーバ４０から出力された制御信号に「音声呼」が含まれるとき、「ＡＶ呼」に変換して内線網中継サーバ２０に出力する。
【００１５】
ＳＩＰサーバ４０は、内線電話の通信接続、ユーザデータの転送等の各種制御を行う。また、ＳＩＰサーバ４０は、一定の場合に内部折り返し信号を生成し、出力する。
【００１６】
次に動作を説明する。図１に示す例は、端末５０‐２（携帯電話内線「２００２」）が端末５０‐１（携帯電話内線「２００１」）に「音声呼」による内線電話を行う場合の例である。
【００１７】
端末５０‐２は、発信元と発信先の内線電話番号等を含む制御信号（Ｃ‐Ｐｌａｎｅ）等をＭＭＳ１０に送信する。
【００１８】
ＭＭＳ１０は、端末５０‐２から送信された制御信号に基づいて、携帯電話網で利用可能な制御信号を生成し、内線網中継サーバ２０に出力する。
【００１９】
内線網中継サーバ２０は、制御信号を中継し、制御信号に含まれる内線番号をドメインに変更する等の指示をＧＷ３０に出力する。
【００２０】
ＧＷ３０は、制御信号に含まれる内線番号のドメインへの変更等を行い、ＳＩＰサーバ４０に出力する。
【００２１】
ＳＩＰサーバ４０は、着信先、送信元の端末５０‐１，５０‐２の通信接続等の処理を行い、制御信号をＧＷ３０に出力する。
【００２２】
ＧＷ３０は、制御信号に含まれるドメインの内線番号への変更等の処理を行い、当該制御信号を内線網中継サーバ２０に出力する。
【００２３】
内線網中継サーバ２０は、ＧＷ３０から出力された制御信号をＭＭＳ１０に中継する。
【００２４】
ＭＭＳ１０は、当該信号を通信相手先の端末５０‐１に送信する。これにより、端末５０‐１，５０‐２間は通話可能な状態となり、例えば、端末５０‐１，５０‐２間で音声データ（Ｕ‐Ｐｌａｎｅ）の送受信を行うことができる。図１に示すように、音声データは制御信号と同じ経路により、端末５０‐１，５０‐２間で送受信される。
【００２５】
尚、図１に示す矢印は、「音声呼」による制御信号（実線）と、音声データ（点線）の各経路を示す。「ＡＶ呼」の例は第２の実施例で説明する。
【００２６】
＜第２の実施例＞
図２は第２の実施例における通信システム１００の構成例を示す図である。さらに、ｉＬ‐ＧＷ６０とアダプタサーバ７０を備える。
【００２７】
ｉＬ‐ＧＷ６０は、例えば、アダプタサーバ７０を介してＳＩＰサーバ４０に対し呼確立要求を行い、アダプタサーバ７０を介してＳＩＰサーバ４０から呼確立応答を受信すると、一定の制御信号をＧＷ３０に出力する。
【００２８】
アダプタサーバ７０は、ＳＩＰサーバ４０及びｉＬ‐ＧＷ６０等との間でＵ‐Ｐｌａｎｅセッションの確立処理等を行う。
【００２９】
図３（Ａ）は内線網中継サーバ２０の構成例を示す図である。内線網中継サーバ２０は、呼制御部２１と、共通線信号変換部２２と、内部折り返し要求信号受信部２３と、Ｕ‐Ｐｌａｎｅ内部折り返し制御部（以下、「内部折り返し制御部」）２４とを備える。
【００３０】
呼制御部２１は、制御信号又はユーザデータ等の通話路を選択する。呼制御部２１は、例えば、ＭＭＳ１０から出力された制御信号等のＧＷ３０への出力等を制御する。
【００３１】
共通線信号変換部２２は、携帯電話網とＩＰ網において利用される制御信号等のプロトコルの変換処理を行う。
【００３２】
内部折り返し要求信号受信部２３は、ＳＩＰサーバ４０等から送信された内部折り返し要求信号（例えば、「ｒｅ‐ＩＮＶＩＴＥ」）を受信する。内部折り返し要求信号受信部２３は、内部折り返し要求信号を受信すると、受信した旨を内部折り返し制御部２４に出力する。
【００３３】
内部折り返し制御部２４は、内部折り返し要求信号受信部２３から受信した旨の信号を入力すると、バスを切替え、ＭＭＳ１０から出力されたユーザデータを折り返してＭＭＳ１０に送信する。
【００３４】
図３（Ｂ）はＧＷ３０の構成例を示す図である。ＧＷ３０は、内線番号（ドメイン）変換部（以下、「内線番号変換部」）３１と、呼変換部３２とを備える。
【００３５】
内線番号変換部３１は、内線網中継サーバ２０からの指示に基づいて、制御信号に含まれる内線番号をドメインに変換する。また、内線番号変換部３１は、ｉＬ‐ＧＷ６０から出力された制御信号に含まれるドメインを内線番号に変換する。例えば、内線番号変換部３１は、内線番号が「０９０‐４５６７‐２００１」のとき、企業ドメイン名を付加して、「２００１＠企業ドメイン名」に変換する。内線番号変換部３１は、例えば、企業ドメイン名に関する情報を保持し、当該情報に基づいて変換する。
【００３６】
呼変換部３２は、内線網中継サーバ２０から出力された制御信号に含まれる呼の種別が「ＡＶ呼」のとき、当該種別を「音声呼」に変換する。呼変換部３２は、当該変換を行ったとき、当該変換対象のドメイン（発信者又は受信者、或いはその双方）をＡＶ呼発信者情報ＤＢに登録する。ＡＶ呼発信者情報ＤＢの詳細は後述する。また、呼変換部３２は、ｉＬ‐ＧＷ６０から出力された制御信号に「音声呼」が含まれ、ＡＶ呼発信者情報ＤＢに登録されている情報と一致するとき、「音声呼」を「ＡＶ呼」に変換する。更に、呼変換部３２は、例えば、内部折り返し要求信号を受信したとき、当該信号に含まれるドメインと、ＡＶ呼発信者情報ＤＢに登録されたドメインとが一致するか否かを判断する。詳細は後述する。
【００３７】
図４はＳＩＰサーバ４０の構成例を示す図である。ＳＩＰサーバ４０は、ＳＩＰプロトコル制御部４１と、ＲＴＰ／ＲＴＣ制御部４２と、ＶｏＩＰ制御部４３と、携帯電話内線監視制御部（以下、「内線監視制御部」）４４とを備える。
【００３８】
ＳＩＰプロトコル制御部４１は、端末５０‐１，５０‐２等に対して各種セッションの開始、変更、又は終了に関する処理（又は接続制御に関する処理）を行う。
【００３９】
ＲＴＰ／ＲＴＣ制御部４２は、ＩＰ網、携帯電話網等の各ネットワークについての通信品質（ＱＯＳ：Quality of Service）に関する各種制御を行う。
【００４０】
ＶｏＩＰ制御部４３は、音声データに対する各種制御を行う。
【００４１】
内線監視制御部４４は、発信者が携帯電話内線呼を使用しているか否かを監視し、携帯電話内線呼を使用しているとき、携帯電話内線呼発信者情報ＤＢ（以下、「内線呼発信者情報ＤＢ」）に発信者のドメインを含む番号（例えば、「２００２＠拠点ドメイン」）を記憶する。また、内線監視制御部４４は、発信者のドメインを含む番号が内線呼発信者情報ＤＢに登録されているとき、内線網中継サーバ２０に内部折り返し要求信号を出力する。
【００４２】
次に動作について説明する。図５、及び図７〜図９は動作例を示すシーケンス図である。図５等の例は、端末５０‐２が端末５０‐１に向けてＴＶ電話による携帯電話内線を利用する例である。
【００４３】
まず、端末５０‐２（ＵＥ（Ｂ）：携帯電話内線「２００２」）は、着番号が携帯電話内線「２００１」である端末５０‐１（ＵＥ（Ａ））に対して、ＴＶ電話の発信信号（又は制御信号）を送信する（Ｓ１０）。
【００４４】
次いで、ＭＭＳ１０は、発信信号を入力し、発信信号に含まれる発信元及び着信先の各内線番号等に基づいて制御信号を生成し、内線網中継サーバ２０に出力する（Ｓ１１）。制御信号には、発信元と着信先の各内線番号、及びＴＶ電話で発信したことを示す「ＡＶ呼」を含む。例えば、ＭＭＳ１０は、発信元の内線番号を「０９０‐４５６７‐２００２」、着信先の内線番号を「０９０‐４５６７‐２００１」、呼の種別は「ＡＶ呼」の制御信号を生成する。
【００４５】
次いで、内線網中継サーバ２０は、制御信号に含まれる内線番号に対して、「企業ドメイン」を導出する（Ｓ１２）。「企業ドメイン」は、例えば、企業ごとに割り当てられたドメイン名である。例えば、共通線信号変換部２２は、企業ドメイン名と内線番号の各情報を内部に保持し、制御信号に含まれる内線番号に基づいて企業ドメインを導出する。
【００４６】
次いで、内線網中継サーバ２０は、内線番号に企業ドメインを含む制御信号の生成をＧＷ３０に指示する（Ｓ１３）。例えば、共通線信号変換部２２が指示する。内線網中継サーバ２０は、ＭＭＳ１０から出力された制御信号をＧＷ３０に出力する。
【００４７】
次いで、ＧＷ３０は、内線網中継サーバ２０から出力された制御信号に対して、制御信号の生成指示に基づいて、企業ドメインを含む制御信号を生成し、更に企業ドメインを拠点ドメインに変換する（Ｓ１４）。「拠点ドメイン」は、例えば、企業ドメインより更に詳細な単位のドメイン名であり、同一企業ドメインでもビル、フロア等により異なるドメイン名が割り当てられる。例えば、内線番号変換部３１が拠点ドメインに変換する。内線番号変換部３１は、例えば、発信元を「２００１＠拠点ドメイン」、着信先を「２００２＠拠点ドメイン」とする制御信号を生成する。
【００４８】
次いで、ＧＷ３０は、内線網中継サーバ２０から出力された制御信号（または企業ドメインを拠点ドメインに変換後の制御信号）に含まれる呼の種別が「ＡＶ呼」か否かを判別（Ｓ１５）する。ＧＷ３０は、呼の種別が「ＡＶ呼」のとき、制御信号の呼の種別を「ＡＶ呼」から「音声呼」に変換する（Ｓ１６）。例えば、呼変換部３２が変換の処理を行う。
【００４９】
次いで、ＧＷ３０は、ＡＶ呼発信者情報ＤＢに発信者情報を登録する（Ｓ１７）。例えば、呼変換部３２が登録する。図６（Ａ）はＡＶ呼発信者情報ＤＢ３２０の例を示す図である。ＡＶ呼発信者情報ＤＢ３２０は、「ＡＶ呼」を含む制御信号に含まれる発信元（又は着信先、或いはその両方）の拠点ドメイン名が記憶される。
【００５０】
一方、ＧＷ３０は、内線網中継サーバ２０から出力された制御信号に「ＡＶ呼」が含まれないとき（Ｓ１５でＮｏ）、Ｓ１６及びＳ１７の処理を行うことなく、以降の処理を行う。
【００５１】
次いで、ＧＷ３０は、拠点ドメインを含む制御信号をｉＬ‐ＧＷ６０に出力する（Ｓ１８）。例えば、呼変換部３２が当該制御信号を出力する。
【００５２】
次いで、ｉＬ‐ＧＷ６０は、アダプタサーバ７０を介してＳＩＰサーバ４０に呼確立要求を出力する（Ｓ１９）。呼確立要求には、例えば、制御信号に含まれる拠点ドメインを含む番号（例えば、発信者又は着信先、或いはその双方の番号、「２００２＠拠点ドメイン」等）が含まれてもよい。
【００５３】
次いで、ＳＩＰサーバ４０は、呼確立要求を受信すると、接続等の処理を行い、アダプタサーバ７０を介して呼確立応答をｉＬ‐ＧＷ６０に出力する（Ｓ２０）。例えば、ＳＩＰプロトコル制御部４１が呼確立応答の出力等を行う。呼確立応答には、拠点ドメインを含む番号が含まれてもよい。
【００５４】
次いで、ｉＬ‐ＧＷ６０は、ＧＷ３０等を介して呼確立応答に関する信号を、ＭＭＳ１０に送信する（Ｓ２１）。
【００５５】
一方、ＳＩＰサーバ４０は、呼確立応答を出力後、発信者からの発信が携帯電話内線呼であるか否か（又は、発信者が携帯電話内線呼を使用しているか否か）を判別する（Ｓ２２）。例えば、内線監視制御部４４は、発信者の携帯電話内線呼により内線を使用する番号、例えば、「２００２＠拠点ドメイン」等、拠点ドメインを含む番号を内部に保持する。そして、内線監視制御部４４は、呼確立要求（Ｓ１９）に含まれる発信者（例えば、端末５０‐２）の拠点ドメインを含む番号と内部に保持した番号と一致するか否かにより判別する。
【００５６】
ＳＩＰサーバ４０は、発信が携帯電話内線呼のとき（Ｓ２２でＹｅｓ）、内線呼発信者情報ＤＢに発信者情報を記憶する（Ｓ２３）。図６（Ｂ）は内線呼発信者情報ＤＢ４４１の例を示す図である。内線呼発信者情報ＤＢ４４１は、携帯電話内線呼と判別された発信者に関する情報、例えば端末５０‐２の拠点ドメインを含む番号が記憶される。
【００５７】
一方、ＳＩＰサーバ４０は、発信が携帯電話内線呼ではないとき（Ｓ２２でＮｏ）、Ｓ２３の処理を行うことなく以降の処理を行う。
【００５８】
次いで、ＳＩＰサーバ４０は、アダプタサーバ７０を介してｉＬ‐ＧＷ６０に指示信号を出力する（Ｓ２４）。例えば、ＳＩＰプロトコル制御部４１が指示信号を出力する。当該指示信号には、例えば、発信者及び着信先の拠点ドメインを含む番号が含まれてもよい。
【００５９】
次いで、ｉＬ‐ＧＷ６０は、拠点ドメイン等を含む制御信号の生成をＧＷ３０に指示する（Ｓ２５）。
【００６０】
次いで、ＧＷ３０は、ｉＬ‐ＧＷ６０からの指示に基づいて、拠点ドメイン等を含む制御信号を生成し、制御信号に含まれる発信者と、ＡＶ呼発信者情報ＤＢ３２０に登録された発信者とが一致するか否かを判別する（Ｓ２６）。例えば、呼変換部３２は、ＡＶ呼発信者情報ＤＢ３２０に記憶された発信者の拠点ドメインを含む番号と、生成した制御信号に含まれる発信者の拠点ドメインを含む番号とが一致するか否かにより判別できる。例えば、呼変換部３２は、ＡＶ呼発信者情報ＤＢ３２０に「２００２＠拠点ドメイン」が登録されているとき、生成した制御信号の発信元に「２００２＠拠点ドメイン」が含まれているか否かにより判別できる。
【００６１】
ＧＷ３０は、発信者が一致するとき（Ｓ２５でＹｅｓ）、制御信号に含まれる「ＡＶ呼」を「音声呼」に変換する（Ｓ２７）。例えば、呼変換部３２が変換する。
【００６２】
一方、ＧＷ３０は、発信者が一致しないとき（Ｓ２５でＮｏ）、Ｓ２７の処理を行うことなく以降の処理を行う。
【００６３】
次いで、ＧＷ３０は、制御信号に含まれる拠点ドメインを企業ドメインに変換する（Ｓ２８）。例えば、内線番号変換部３１が変換する。
【００６４】
次いで、ＧＷ３０は、変換後の制御信号の生成を内線網中継サーバ２０に指示する（Ｓ２９）。例えば、内線番号変換部３１が指示する。
【００６５】
次いで、内線網中継サーバ２０は、企業ドメインを含む制御信号を生成し、企業ドメインから内線番号（ＧｒｏｕｐＩＤ）を取得し、内線番号を含む制御信号を生成する（Ｓ３０）。例えば、共通線信号変換部２２がかかる処理を行う。例えば、共通線信号変換部２２は、Ｓ１１により処理した情報を保持することで、発信元を「０９０‐４５６７‐２００２」、着信先を「０９０‐４５６７‐２００１」とする制御信号を生成する。
【００６６】
次いで、内線網中継サーバ２０は生成した制御信号をＭＭＳ１０に出力する（Ｓ３１）。例えば、共通線信号変換部２２が制御信号を出力する。
【００６７】
次いで、ＭＭＳ１０は、着信先の端末５０‐１に制御信号を送信する（Ｓ３２）。これにより、発信元の端末５０‐２が送信した制御信号が着信先の端末５０‐１に送信される。
【００６８】
次いで、端末５０‐１，５０‐２からアダプタサーバ７０の各々は、Ｕ‐Ｐｌａｎｅセッションの確立処理を行う。
【００６９】
Ｕ‐Ｐｌａｎｅセッションが確立後、ＳＩＰサーバ４０は、内線呼発信者情報ＤＢ４４１に登録された発信者と一致するか否かを判別する（Ｓ３４）。例えば、内線監視制御部４４は、内線呼発信者情報ＤＢ４４１に拠点ドメインを含む番号が登録（Ｓ２２）されているか否かにより判別する。
【００７０】
ＳＩＰサーバ４０は、番号が登録されているとき（Ｓ３４でＹｅｓ）、アダプタサーバ７０等を介して内部折り返し要求信号をＧＷ３０に送信する（Ｓ３５）。例えば、内線監視制御部４４が当該信号を送信する。例えば、内部折り返し要求信号は、発信元と着信先の内線番号情報（例えば、拠点ドメインを含む番号）を含み、ヘッダには「内部折り返し要求信号」を示す「９９９」を含む。尚、内線監視制御部４４は、内部折り返し要求信号を送信すると、内線呼発信者情報ＤＢ４４１に登録された拠点ドメインを含む番号を削除する。
【００７１】
次いで、ＧＷ３０は、内部折り返し要求信号を受信すると、当該信号に含まれる発信者情報と、ＡＶ呼発信者情報ＤＢ３２０に登録された発信者情報とが一致するか否かを判別する（Ｓ３７）。例えば、呼変換部３２は、ＡＶ呼発信者情報ＤＢ３２０に登録された拠点ドメインと内部折り返し要求信号に含まれる拠点ドメインとが一致するか否かを判別する。
【００７２】
ＧＷ３０は、一致するとき（Ｓ３７でＹｅｓ）、内部折り返し要求信号を内線網中継サーバ２０に出力する（Ｓ３８）。例えば、呼変換部３２が当該信号を出力する。これにより、例えば、端末５０‐２からの発信が携帯電話内線呼であり（Ｓ３４でＹｅｓ）、当該内線呼が「ＡＶ呼」であれば（Ｓ３７でＹｅｓ）、内線網中継サーバ２０はＩＰ網から内部折り返し要求信号を入力することになる。
【００７３】
一方、ＧＷ３０は、ＡＶ呼発信者情報ＤＢ３２０に登録された発信者情報が一致しないとき（Ｓ３７でＮｏ）、Ｓ３８の処理を行うことなく処理を終了する（Ｓ３９）。
【００７４】
内線網中継サーバ２０は、内部折り返し要求信号を入力すると、ユーザデータ（Ｕ‐Ｐｌａｎｅ）の内部折り返しを受け付け（Ｓ４０）、ユーザデータを入力すると折り返しを実施する（Ｓ４１）。例えば、内部折り返し制御部２４が、内部折り返し要求信号に含まれる発信者及び着信先の拠点ドメインを含む情報に対して、内部情報に基づいて、発信者及び着信先の内線番号を抽出して保持する。そして、内部折り返し制御部２４は、ユーザデータに含まれる発信者及び着信先の内線番号と一致すれば、内部バスを切り替えてユーザデータを折り返し、端末５０‐１に送信する。以降は、通常の通話と同様である。
【００７５】
このように、本通信システム１００は、端末５０‐２からの電話発信呼が、携帯電話内線呼であり、呼の種別が「ＡＶ呼」であれば、ＧＷ３０において呼を「音声呼」に変換し、ＳＩＰサーバ４０から内部折り返し要求信号を内線網中継サーバ２０に出力するようにしている。これにより、ＩＰ網のＳＩＰサーバ４０等は「ＡＶ呼」に対する処理を行うことができる。また、ＡＶ呼に対応するユーザデータは、内線網中継サーバ２０で折り返されて端末５０‐１に送信される。従って、本通信システム１００は、ＩＰ網の各部４０等はソフトウェアの修正等を行うことなくＴＶ電話等を実現でき、当該修正等を行う場合と比較してコスト削減を図ることができる。
【００７６】
＜その他の実施例＞
上述した第２の実施例において、「ＡＶ呼」から「音声呼」への変換はＧＷ３０にて行うものとして説明した。例えば、携帯電話網の内線網中継サーバ２０又はＭＭＳ１０で変換が行われてもよい。この場合、例えば、内線網中継サーバ２０又はＭＭＳ１０は呼変換部３２を内部に備える。
【００７７】
また、上述した第２の実施例において、内部折り返し要求信号の送信はＳＩＰサーバ４０が行うものとして説明した。これ以外にも、例えば、ＩＰ網内のアダプタサーバ７０、ｉＬ‐ＧＷ６０、又はＧＷ３０がＳ３４の判断を行い、内部折り返し要求信号を送信してもよい。Ｓ３７の判断もアダプタサーバ７０、ＳＩＰサーバ４０等のＩＰ網の各部が行うようにしてもよい。
【００７８】
更に、上述した第２の実施例において、端末５０‐１，５０‐２の例として携帯電話で説明した。例えば、端末５０‐１，５０‐２は、ＰＤＡ（Personal Digital Assistance）などの情報携帯端末でもよい。
【００７９】
更に、上述した第２の実施例において、ＡＶ呼発信者情報ＤＢ３２０はＧＷ３０に備えるものとして説明した。例えば、ＡＶ呼発信者情報ＤＢ３２０は、内線網中継サーバ２０、又はＩＰ網内のＳＩＰサーバ４０等に備えてもよい。或いは、ＡＶ呼発信者情報ＤＢ３２０はＩＰ網内の各部４０等がアクセスできるようにＩＰ網内に配置されてもよい。内線呼発信者情報ＤＢ４４１もＩＰ網内の各部４０等内、又は各部４０等がアクセスできるようにＩＰ網内に配置されてもよい。
【００８０】
以上まとめると付記のようになる。
【００８１】
（付記１）
第１及び第２の通信装置を介して、第１及び第２の端末装置の間で通信を行う通信システムにおいて、
前記第２の通信装置は、前記第１の端末装置の発信呼が映像及び音声データの発信を示すＡＶ呼であって、前記第１及び前記第２の端末装置が内線により通信を行うとき、折り返し要求信号を前記第１の通信装置に送信する監視制御部を備え、
前記第１の通信装置は、前記折り返し要求信号を受信したとき、前記第１又は前記第２の端末装置から送信された前記映像及び音声データを折り返して夫々前記第２又は前記第１の端末装置に送信する折り返し制御部を備えることを特徴とする通信システム。
【００８２】
（付記２）
前記第１又は第２の通信装置は、前記第１の端末装置から送信された前記ＡＶ呼を音声呼に変換する変換部を備えることを特徴とする付記１記載の通信システム。
【００８３】
（付記３）
前記監視制御部は、前記第１の端末装置から送信された制御信号に基づいて前記ＡＶ呼か否かを判別し、前記第１及び前記第２の端末装置が内線による通信を行うことを示す情報を保持し、当該情報に基づいて前記第１及び前記第２の端末装置が内線により通信を行うか否かを判別することを特徴とする付記１記載の通信システム。
【００８４】
（付記４）
前記第１及び前記第２の端末装置における前記内線による通信はＴＶ電話であることを特徴とする付記１記載の通信システム。
【００８５】
（付記５）
前記第２の通信装置はＩＰ網内に配置される通信装置であることを特徴とする付記１記載の通信システム。
【００８６】
（付記６）
前記第２の通信装置は前記第１及び第２の端末装置の通信接続を制御するＳＩＰサーバであることを特徴とする付記１記載の通信システム。
【００８７】
（付記７）
前記第１の通信装置は前記第１及び第２の端末装置から送信された信号又はデータを前記第２の通信装置に中継する内線網中継サーバであることを特徴とする付記１記載の通信システム。
【００８８】
（付記８）
前記第２の通信装置は、前記ＡＶ呼を送信した前記第１の端末装置に関する情報を記憶する第１のテーブルと、前記内線による通信を行う前記第１の端末装置に関する情報を記憶する第２のテーブルとを備え、
前記監視制御部は、前記第１及び第２のテーブルを参照して、前記折り返し要求信号を送信することを特徴とする付記１記載の通信システム。
【００８９】
（付記９）
前記第２の通信装置は、ＳＩＰサーバとゲートウェイとを備え、
前記ＳＩＰサーバは前記監視制御部を備え、前記監視制御部は前記第１及び前記第２の端末装置が内線により通信を行うとき前記折り返し要求信号を前記ゲートウェイに送信し、
前記ゲートウェイは、前記第１の端末装置の発信呼が前記ＡＶ呼のとき、前記折り返し要求信号を前記第１の通信装置に送信することを特徴とする付記１記載の通信システム。
【００９０】
（付記１０）
他の通信装置を介して第１及び第２の端末装置の間で通信を行う通信装置において、
前記第１の端末装置の発信呼が映像及び音声データの発信を示すＡＶ呼であって、前記第１及び前記第２の端末装置が内線により通信を行うとき、折り返し要求信号を生成する監視制御部と、
前記折り返し要求信号を前記他の通信装置に送信する送信部とを備え、
前記他の通信装置は、前記折り返し要求信号を受信したとき、前記第１又は前記第２の端末装置から送信された前記映像及び音声データを折り返して夫々前記第２又は前記第１の端末装置に送信することを特徴とする通信装置。
【００９１】
（付記１１）
第１及び第２の通信装置を介して、第１及び第２の端末装置の間で通信を行う通信システムにおける通信方法であって、
前記第２の通信装置は、前記第１の端末装置の発信呼が映像及び音声データの発信を示すＡＶ呼であって、前記第１及び前記第２の端末装置が内線により通信を行うとき、折り返し要求信号を前記第１の通信装置に送信し、
前記第１の通信装置は、前記折り返し要求信号を受信したとき、前記第１又は前記第２の端末装置から送信された前記映像及び音声データを折り返して夫々前記第２又は前記第１の端末装置に送信する
ことを特徴とする通信方法。
【符号の説明】
【００９２】
１０：ＭＭＳ                          ２０：内線網中継サーバ
２１：呼制御部                        ２２：共通線信号変換部
２３：内部折り返し要求信号受信部      ２４：Ｕ−Ｐｌａｎｅ内部折り返し制御部
３０：ＧＷ                            ３１：内線番号（ドメイン）変換部
３２：呼変換部                        ４０：ＳＩＰサーバ
４１：ＳＩＰプロトコル制御部          ４４：携帯電話内線監視制御部
５０‐１，５０‐２：端末              ６０：ｉＬ‐ＧＷ
７０：アダプタサーバ                  １００：通信システム
３２０：ＡＶ呼発信者情報ＤＢ
４４１：携帯電話内線呼発信者情報ＤＢ（内線呼発信者情報ＤＢ）
【図１】
2011061420.tif 000003
【図２】
2011061420.tif 000004
【図３】
2011061420.tif 000005
【図４】
2011061420.tif 000006
【図５】
2011061420.tif 000007
【図６】
2011061420.tif 000008
【図７】
2011061420.tif 000009
【図８】
2011061420.tif 000010
【図９】
2011061420.tif 000011